(57)【要約】【課題】仕留められた場所で、獲物を衛生的にかつ効率的に解体処理できるようにした昇降装置を提供する。【解決手段】樹木に対して斜め方向に取り付けられる左右一対のアーム要素２１からなるアーム２の下端部分２１ｄを開いた状態にしておき、樹木の表面を左右から挟み込ませるようにする。そして、そのアーム要素２１をパイプ状とすることで、どのような外径の樹木にも接するようにすることができるとともに、アーム要素２１からの荷重を樹木の中心に向かわせるようにする。このアームの２の中段部分には、樹木との間を連結する連結部材４を設けており、この連結部材４の先端に設けられたフック部４４をアーム２に係止させる。そして、昇降具５を用いて獲物を吊り下げて血抜きなどの解体処理を行わせるようにする。【選択図】図１
2019189371.tif 000002
【特許請求の範囲】
【請求項１】
樹木などの柱状体に斜め方向に取り付けられるアームと、
当該アームの下端側を前記柱状体に固定するための下端保持具と、
当該アームの下端から離れた位置に一端側が取り付けられ、他端側が前記柱状体に取り付けられる連結部材と、
前記アームから物体を保持する保持具を昇降させる昇降具と、
を備えてなる昇降装置。
【請求項２】
前記アームが、左右一対のアーム要素で構成され、当該左右に設けられた一対のアーム要素の下端部分を離間させた状態にした請求項１に記載の昇降装置。
【請求項３】
前記アームが、左右に対向する一対のパイプ状のアーム要素で構成されるものである請求項１に記載の昇降装置。
【請求項４】
前記連結部材が、前記アームの連結部に対して着脱可能に設けられるものである請求項１に記載の昇降装置。
【発明の詳細な説明】
【技術分野】
【０００１】
本発明は、主に狩猟で仕留められた鹿や猪などの獲物を解体処理する際に使用される昇降装置に関するものであり、より詳しくは、例えば、仕留めた場所で簡単かつ衛生的に獲物を解体処理できるようにした昇降装置に関するものである。
【背景技術】
【０００２】
一般に、狩猟によって仕留められた鹿や猪などの獲物は、解体工場まで運ばれ、そこで血抜きや切除などの解体処理が施される（特許文献１）。
【０００３】
しかるに、仕留められた場所から解体工場までの搬送に時間がかかってしまうような場合、獲物の腐敗が進んで鮮度が落ちてしまう。
【０００４】
このため、仕留められた場所で血抜きなどの解体処理をすることも考えられるが、地面で解体処理を行うは不衛生であり、雑菌などが入って腐敗が進んでしまう。
【０００５】
このとき、シートなどを敷いて解体処理を行うことも考えられるが、非常に重い獲物をシート上に運ばなければならず、また、効率的な解体処理を行うこともできない。
【先行技術文献】
【特許文献】
【０００６】
【特許文献１】特開２００６−２０５７４号公報
【発明の概要】
【発明が解決しようとする課題】
【０００７】
そこで、本発明は上記課題に着目してなされたもので、仕留められた場所で、獲物を衛生的にかつ効率的に解体処理でき、また、計量で持ち運びが簡単な昇降装置を提供することを目的とする。
【課題を解決するための手段】
【０００８】
すなわち、本発明の昇降装置は、上記課題を解決するために、樹木などの柱状体に斜め方向に取り付けられるアームと、当該アームの下端側を前記柱状体に固定するための下端保持具と、当該アームの下端から離れた位置に一端側が取り付けられ、他端側が前記柱状体に取り付けられる連結部材と、前記アームから物体を保持する保持具を昇降させる昇降具とを備えて構成するようにしたものである。
【０００９】
このように構成すれば、例えば、仕留めた場所の近くにこの昇降装置を取り付けて解体処理を行うことができるため、地面に接触させることなく、衛生的かつ効率的に解体処理を行うことができるようになる。また、樹木をクレーンの一部として使用することで、計量でコンパクトな本体でも十分な昇降高さと強度を確保することができ、持ち運びの利便性と作業性を両立させることができる。
【００１０】
また、このような発明において、前記アームを、左右一対のアーム要素で構成し、当該左右に設けられた一対のアーム要素の下端部分を離間させた状態にしておく。
【００１１】
このように構成すれば、左右一対のアーム要素を樹木表面の左右の離れた位置に接触させることができ、アームの左右方向への振れを防止して、安定した作業を行わせることができるようになる。
【００１２】
さらに、前記アームを、左右に対向する一対のパイプ状のアーム要素で構成する。
【００１３】
このように構成すれば、樹木の外径が異なる場合であっても、その樹木の表面に接するようにすることができ、また、アーム要素からの荷重を常に樹木の中心に向かわせることができるようになる。
【００１４】
また、前記連結部材を、前記アームの連結部に対して着脱可能に設けるようにする。
【００１５】
このように構成すれば、まず、連結部材を樹木などに取り付けた後、長くて重いアームをこの連結部材に連結させるだけでアームを簡単に取り付けることができるようになる。
【発明の効果】
【００１６】
本発明によれば、樹木などの柱状体に斜め方向に取り付けられるアームと、当該アームの下端側を前記柱状体に固定するための下端保持具と、当該アームの下端から離れた位置に一端側が取り付けられ、他端側が前記柱状体に取り付けられる連結部材と、前記アームから物体を保持する保持具を昇降させる昇降具とを備えるようにしたので、例えば、獲物を仕留めた場所の近くにこの昇降装置を取り付けて解体処理することができ、地面に接触させることなく、衛生的かつ効率的に解体処理を行うことができるようになる。また、樹木をクレーンの一部として使用することで、計量でコンパクトな本体でも十分な昇降高さと強度を確保することができ、持ち運びの利便性と作業性を両立させることができる。
【図面の簡単な説明】
【００１７】
【図１】本発明の一実施の形態における昇降装置を樹木に取り付けた状態図
【図２】同形態におけるアームを示す平面図
【図３】同形態におけるアームを示す側面図
【図４】同形態における連結部材を示す側面図
【図５】同形態における連結部材を示す平面図
【図６】同形態におけるアームが樹木に接する部分の水平断面図
【発明を実施するための形態】
【００１８】
以下、本発明の一実施の形態について図面を参照しながら説明する。
【００１９】
この実施の形態における昇降装置１は、一例として、狩猟場所で獲物の血抜きや切除などの解体作業を行えるようにしたものであって、図１に示すように、樹木などの柱状体に斜め方向に取り付けられるアーム２と、このアーム２の下端側２１ｄを樹木に固定するための下端保持具３と、アーム２の下端から離れた位置に一端側が取り付けられ、他端側が樹木に取り付けられる連結部材４と、アーム２から昇降可能に吊り下げられる保持具５１を昇降させる昇降具５とを備えるようにしたものである。そして、この連結部材４をアーム２と分離可能に構成することで、樹木へのアーム２の取り付けを容易にするとともに、パイプ状のアーム２の下端部分２１ｄ（図２参照）を左右に広げて樹木に接するようにすることで、安定して樹木に取り付けられるようにしたものである。以下、本実施の形態における昇降装置１について詳細に説明する。なお、本実施の形態において、柱状体の例として、樹木を例に挙げて説明するが、これ以外に、電柱や防護策の杭などであってもよい。
【００２０】
まず、アーム２は、長さ１４００ｍｍ〜１６００ｍｍ程度の金属製の部材で構成されるものであって、図２に示すように、上端側が幅狭となり、下端側が幅広となるように対向させた左右一対のアーム要素２１を有するように構成されている。このアーム２の上端側には、図３に示すように、アーム２の軸方向から約６０度〜８０度程度水平方向に屈曲して取り付けられる上端プレート２２が設けられており、この上端プレート２２にアーム要素２１の上端部分を溶着させるようにしている。一方、アーム２の下端部分２１ｄについては、左右のアーム要素２１の間を離間させて空間を設けておき、さらに、そのアーム要素２１の下面側（図３参照）に平面状の下端プレート２３を取り付けるようにしている。ここでは、このアーム要素２１は、断面が円形となるパイプを用いるようにしている。このような円形状のアーム要素２１を用いると、図６の上図に示すように、樹木の外周部分に取り付ける際、樹木の外径がどのような大きさであっても、パイプと樹木を接するようにすることができるとともに、アーム断面の略中心部分と樹木の中心部分を常に直線状にすることができるため、アーム２からの荷重を樹木の中心部分に向かわせることができる。これに対して、図６の下図のように、アーム要素２１が矩形状であると、樹木とアーム要素２１の中心を結ぶ非直線状になるため、樹木の表面に沿った荷重ベクトルが発生し、アーム２に不安定な要素が加わることになる。
【００２１】
また、この下端プレート２３の左右両側には、ベルトや紐などの下端保持具３を取り付けるための穴部２３ａが設けられており、この穴部２３ａにフックなどを介して下端保持具３を取り付けて固定できるようになっている。
【００２２】
一方、このアーム２の中段部分には、左右のアーム要素２１を跨るような中段プレート２４が取り付けられている。そして、この中段プレート２４に、樹木との間を連結する連結部材４や、昇降具５を構成するラチェット５３などを取り付けられるようになっている。
【００２３】
このアーム２の中段部分に取り付けられる連結部材４は、樹木との間を連結して水平方向の荷重を支持できるようにしたもので、図３や図４に示すように、先端部分に設けられたフック部４４を介して着脱可能に連結できるようになっている。この連結部材４には、左右の側壁４１が起立するように設けられており、その基端側から左右両側（図５参照）に向けて拡開するベルト取付部４２を設け、そのベルト取付部４２の穴部４２ａに金具を介してベルトや紐などを取り付けられるようにしている。そして、そのベルトなどを樹木に周回させて固定することで、連結部材４を略水平状態に維持できるようにしている。このように、連結部材４を略水平状態に維持できると、その後のアーム２の取り付け時における作業を楽に行わせることができる。なお、このように連結部材４を樹木に取り付ける場合、樹木の径に対応できるようにしておく必要がある。そこで、この実施の形態では、図５に示すように、ベルト取付部４２を左右にそれぞれ９０度以上開くようにしておき、また、その間に設けられた水平プレート４３をベルト取付部４２の基端部から少し離れた位置から設けるようにしておく。このようにすることによって、樹木に連結部材４を取り付ける際、ベルト取付部４２の基端部を樹木の表面に接触させるとともに、水平プレート４３をベルト取付部４２から少し離間させることで、その隙間に樹木を収容させることができるようになる。
【００２４】
この水平プレート４３の先端側に設けられるフック部４４は、水平プレート４３を上側に屈曲させて設けたものであって、これによって、アーム２の中段プレート２４を上から載せて仮固定できるようになっている。そして、必要に応じて、中段プレート２４に設けられた穴部２４ａとフック部４４の穴部４４ａを位置合わせし、ボルトなどで固定できるようにしている。
【００２５】
この中段プレート２４に取り付けられる昇降具５は、保持具５１を介して獲物を地面から持ち上げられるようにしたものであって、図１に示すように、獲物を固定する保持具５１と、その保持具５１を昇降させるための昇降手段５０などを有するように構成されている。
【００２６】
このうち、保持具５１は、獲物を固定して取り付けられるようにしたものであって、ここでは、左右両側に針状体５１ａを有し、ここに獲物の脚部を突き刺して保持できるようにしていている。なお、ここでは、針状体５１ａを有する保持具５１を用いるようにしたが、縄、鎖、ワイヤー、ベルト、布などで獲物を保持できるようにしてもよい。
【００２７】
昇降手段５０は、ワイヤーの一端をアーム２の上端プレート２２に固定するとともに、保持具５１に設けられた滑車５２ａや、上端プレート２２に設けられた滑車５２ｂなどを介してラチェット５３でワイヤーを周回させるように構成されており、ラチェット５３に設けられたハンドル５４を用いて、保持具５１を昇降させられるようになっている。なお、ここでは、ラチェット５３を用いて保持具５１を昇降させるようにしたが、モーターで保持具５１を昇降させるようにしてもよいし、あるいは、ラチェット５３などを用いることなく、ワイヤーなどを人力で引っ張ってアーム２に固定させるようにしてもよい。
【００２８】
次に、このように構成された昇降装置１の使用方法について説明する。
【００２９】
まず、獲物を狩猟によって仕留めた場合、その近くの樹木に連結部材４を取り付ける。この連結部材４を取り付ける場合、アーム２が獲物の大きさに応じた高さとなるような位置に連結部材４を取り付け、その位置でベルト取付部４２を樹木の表面に接触させる。そして、その状態で金具などを介してベルトを樹木に周回させて固定する。このとき、樹木の円形状の表面が、左右のベルト取付部４２の間の隙間であって、水平プレート４３との隙間部分に入り込むようになる。これにより、ベルト取付部４２の左右の基端部などを樹木の表面に接触させることができ、左右の振れを防止して、連結部材４を略水平状態に固定することができるようなる。
【００３０】
次に、このように連結部材４を固定した後、アーム２を連結部材４に連結する。このアーム２を連結部材４に連結する場合、アーム２の中段プレート２４を連結部材４のフック部４４の上に載せる。すると、そのアーム２は、そこを支点として自重により下端部分２１ｄが樹木の表面に接触するように傾斜する。このとき、アーム２の下端側は、左右のアーム要素２１によって樹木の左右両側を挟み込むようになり（図６の状態）、これによって、アーム２が左右に振れるようなことがなくなる。
【００３１】
次に、アーム２の下端部分２１ｄを固定する。このアーム２の下端部分２１ｄを固定する場合、下端プレート２３に設けられた左右の穴部２３ａに金具を取り付けて、ベルトなどの下端保持具３で樹木に固定する。
【００３２】
このように昇降装置１を樹木に取り付けた後、ラチェット５３を緩めて保持具５１を下降させ、針状体５１ａに獲物を突き刺して固定する。そして、その状態でラチェット５３のハンドル５４を回し、獲物を吊り下げるようにする。このとき、アーム２には獲物による荷重が加わることになるが、左右方向の荷重については、連結部材４で支えることができるとともに、アーム２の軸方向の荷重については、アーム要素２１の下端部による樹木への接触や下端保持具３によって支えることができる。
【００３３】
そして、このように獲物を吊り下げた状態で、血抜きを行い、また、内蔵などのような腐食しやすい部分を取り除く解体処理を行う。そして、このように鮮度を保つような処理を施した後、その獲物を所定の場所まで搬送する。
【００３４】
このように上記実施の形態によれば、樹木などの柱状体に斜め方向に取り付けられるアーム２と、当該アーム２の下端側を前記柱状体に固定するための下端保持具３と、当該アーム２の下端から離れた位置に一端側が取り付けられ、他端側が前記柱状体に取り付けられる連結部材４と、前記アーム２から獲物などの物体を保持する保持具５１を昇降させる昇降具５とを備えて構成するようにしたので、仕留めた場所の近くにこの昇降装置１を取り付けて解体処理することができ、獲物を地面に接触させることなく衛生的かつ効率的に解体処理することができるようになる。また、樹木をクレーンの一部として使用することで、計量でコンパクトな本体でも十分な昇降高さと強度を確保することができ、持ち運びの利便性と作業性を両立させることができる。
【００３５】
また、前記アーム２を、左右一対のアーム要素２１で構成し、当該左右に設けられた一対のアーム要素２１の下端部分２１ｄを離間させるようにしたので、左右一対のアーム要素２１を樹木の表面の離れた位置に接触させることができ、アーム２の左右方向への振れを防止して、安定した作業を行わせることができるようになる。
【００３６】
さらに、前記アーム２を、左右に対向する一対のパイプ状のアーム要素２１で構成したので、樹木がどのような外径であっても、その表面に接するようにすることができるとともに、アーム要素２１から作用する荷重を樹木の中心に向かわせることができる。
【００３７】
また、前記連結部材４を、前記アーム２の中段プレート２４に対してフック部４４で着脱できるようにしたので、連結部材４を樹木などに取り付けた後、長くて重いアーム２をこの連結部材４のフック部４４に係止させるだけでアーム２を簡単に取り付けることができるようになる。
【００３８】
なお、本発明は上記実施の形態に限定されることなく、種々の態様で実施することができる。
【００３９】
例えば、上記実施の形態によれば、アーム２を左右一本の部材で構成したが、狩猟時の運搬を容易ならしめるために、分割できるようにしてもよい。
【００４０】
また、上記実施の形態では、連結部材４として、樹木の表面に略水平状態で取り付けられる部材で構成したが、アーム２の水平方向の荷重を支持できるような部材であれば、どのような形状や構造、素材のものであってもよい。
【００４１】
さらに、上記実施の形態では、アーム２の下端プレート２３をベルトで固定するようにしたが、下端部分２１ｄだけで固定できる場合（例えば、下端部分２１ｄを樹木の枝分かれした部分や根本部分などに固定できる場合）は、ベルトなどを設けなくてもよい。
【００４２】
また、上記実施の形態では、物体の一例として獲物を昇降させる場合について説明したが、その他の物を昇降させる場合についても適用することができる。
【符号の説明】
【００４３】
１・・・昇降装置
２・・・アーム
２１・・・アーム要素
２１ｄ・・・下端部
２２・・・上端プレート
２３・・・下端プレート
２４・・・中段プレート
２４ａ・・・穴部
３・・・下端保持具
４・・・連結部材
４１・・・側壁
４２・・・ベルト取付部
４３・・・水平プレート
４４・・・フック部
４４ａ・・・穴部
５・・・昇降具
５０・・・昇降手段
５１・・・獲物保持具
５１ａ・・・針状体
５２ａ、ｂ・・・滑車
５３・・・ラチェット
５４・・・ハンドル
【図１】
2019189371.tif 000003
【図２】
2019189371.tif 000004
【図３】
2019189371.tif 000005
【図４】
2019189371.tif 000006
【図５】
2019189371.tif 000007
【図６】
2019189371.tif 000008